(57)【要約】【課題】画像形成装置及びその出力制御方法を提供する。特に、出力結果を確認するプレビューを用いて出力を制御する画像形成装置及びその出力制御方法を提供する。【解決手段】オプションが設定された原稿のサンプルイメージプレビュー及びリアルイメージプレビューから出力結果を確認してから出力を制御できる画像形成装置及び画像形成装置の出力制御方法を提供する。【選択図】図４
2011182402.tif 000002
【特許請求の範囲】
【請求項１】
スキャン部に原稿が積載される段階と、
操作部を介して前記原稿に対するオプションが設定される段階と、
前記設定されたオプションが適用されたサンプルイメージを用いて、表示部に前記サンプルイメージに対応するサンプルイメージプレビューを表示する段階と、
前記原稿をスキャンして原稿イメージを生成する段階と、
前記原稿イメージに前記設定されたオプションを適用してリアルイメージを生成し、前記表示部に前記リアルイメージに対応するリアルイメージプレビューを表示する段階と、
を有することを特徴とする、画像形成装置の出力制御方法。
【請求項２】
前記リアルイメージを出力する段階をさらに含み、
前記出力する段階は、
１）前記リアルイメージを記録媒体に印刷する段階、
２）前記リアルイメージを添付して外部装置でイーメール伝送する段階、
３）前記リアルイメージを受信側のファックス機器にファックス送信する段階、及び
４）前記リアルイメージを外部サーバーに伝送する段階
のうち少なくとも一つを含むことを特徴とする、請求項１に記載の画像形成装置の出力制御方法。
【請求項３】
前記サンプルイメージ及び前記リアルイメージのうち少なくとも一つは、前記表示部のプレビューが表示される表示領域に合わせてスケーリング（Ｓｃａｌｉｎｇ）されることを特徴とする、請求項１に記載の画像形成装置の出力制御方法。
【請求項４】
前記スキャン部は、前記原稿が積載される原稿板（Ｓｃａｎ  Ｇｌａｓｓ）及び自動原稿給紙部（Ａｕｔｏ  Ｄｏｃｕｍｅｎｔ  Ｆｅｅｄｅｒ）のうち少なくとも一つを含むことを特徴とする、請求項１に記載の画像形成装置の出力制御方法。
【請求項５】
前記出力する段階のうちの少なくとも一つに対応する機能を選択する段階をさらに含むことを特徴とする、請求項２に記載の画像形成装置の出力制御方法。
【請求項６】
前記出力する段階は、前記選択された機能に対応するように前記リアルイメージが出力される段階であることを特徴とする、請求項５に記載の画像形成装置の出力制御方法。
【請求項７】
前記サンプルイメージプレビューを表示する段階は、
前記設定されたオプションに応じて前記サンプルイメージに対するイメージ処理を行う段階を含む、請求項１に記載の画像形成装置の出力制御方法。
【請求項８】
前記表示部は、前記サンプルイメージプレビューまたは前記リアルイメージプレビューをポップアップウィンドウとして表示することを特徴とする、請求項１乃至７のいずれか１項に記載の画像形成装置の出力制御方法。
【請求項９】
前記サンプルイメージプレビューと前記リアルイメージプレビューのうち少なくとも一つを外部機器に提供する段階をさらに含むことを特徴とする、請求項１乃至７のいずれか１項に記載の画像形成装置の出力制御方法。
【請求項１０】
原稿をスキャンして原稿イメージを生成するスキャン部と、
外部機器と接続可能なインターフェース部と、
前記原稿イメージの生成のためのオプションを入力するための操作部と、
前記入力されたオプションに対応するサンプルイメージと前記原稿イメージが格納される格納部と、
前記原稿イメージに、前記操作部から入力されたオプションに応じたイメージ処理をして、リアルイメージを生成するイメージ処理部と、
前記サンプルイメージ及び前記リアルイメージによるプレビューが表示される表示部と、
前記原稿がスキャンされたか否かによって前記表示部に前記プレビューが選択的に表示されるように制御する制御部と、
を有することを特徴とする、画像形成装置。
【請求項１１】
前記リアルイメージを出力する出力部をさらに含み、
前記出力部は、
１）前記リアルイメージを記録媒体に印刷する画像形成部、
２）前記リアルイメージを添付して外部装置にイーメール伝送するイーメール伝送部、
３）前記リアルイメージを受信側のファックス機器にファックス送信するファックス部、及び
４）前記リアルイメージを外部サーバーに伝送するファイル伝送部
のうち少なくとも一つを含むことを特徴とする、請求項１０に記載の画像形成装置。
【請求項１２】
前記スキャン部は、前記原稿が手動給紙される原稿板（Ｓｃａｎ  Ｇｌａｓｓ）と前記原稿が自動給紙される自動原稿給紙部（Ａｕｔｏ  Ｄｏｃｕｍｅｎｔ  Ｆｅｅｄｅｒ）のうち少なくとも一つを含むことを特徴とする、請求項１０に記載の画像形成装置。
【請求項１３】
前記インターフェース部を介して外部機器に前記サンプルイメージプレビュー及び前記リアルイメージプレビューのうちの少なくとも一つを提供することを特徴とする、請求項１０に記載の画像形成装置。
【請求項１４】
前記表示部は、前記サンプルイメージ及び前記リアルイメージのうち少なくとも一つが表示されるプレビュー領域を有し、前記プレビュー領域に応じて前記サンプルイメージ及び前記リアルイメージのうち少なくとも一つがスケーリング（Ｓｃａｌｉｎｇ）されることを特徴とする、請求項１０乃至１３のいずれか１項に記載の画像形成装置。
【請求項１５】
原稿をスキャンするか否かを判断する段階と、
前記原稿に対するオプションが選択される段階と、
前記原稿がスキャンされる前の場合、前記設定されたオプションの適用されたサンプルイメージを用いて、表示部に前記サンプルイメージに対応するサンプルイメージプレビューを表示し、
前記原稿がスキャンされた後の場合、前記原稿をスキャンして生成された原稿イメージに前記設定されたオプションを適用してリアルイメージを生成し、前記表示部に前記リアルイメージに対応するリアルイメージプレビューを表示する段階と、
を有することを特徴とする、画像形成装置の出力制御方法。
【発明の詳細な説明】
【技術分野】
【０００１】
本発明は、画像形成装置及びその出力制御方法に係り、特に、出力結果を確認するプレビューを用いて出力を制御する画像形成装置及び画像形成装置の出力制御方法に関するものである。
【背景技術】
【０００２】
画像形成装置は、画像データを出力するデジタル／アナログ複写機、プリンタ、ファクシミリ、スキャナー、及び複写、印刷、スキャン、ファックス送／受信、ファイル伝送機能を一つのデバイスで具現した複合機（Ｍｕｌｔｉ  Ｆｕｎｃｔｉｏｎ  Ｐｅｒｉｐｈｅｒａｌ：ＭＦＰ）などを挙げることができる。
【０００３】
画像形成装置で原稿（ｄｏｃｕｍｅｎｔ）を、複写、印刷、スキャン、ファックス送信、ファイル伝送のうちのいずれかを含む出力をする場合、ユーザーは、それを出力してこそ、設定されたオプションが適切であったか否かがわかる。
【０００４】
しかしながら、機能が益々多様化・複雑化しつつあるユーザーインターフェース（Ｕｓｅｒ  Ｉｎｔｅｒｆａｃｅ：ＵＩ）を採用する画像形成装置は増えており、画像形成装置の操作部（Ｏｐｅｒａｔｉｏｎ  Ｐａｎｅｌ  Ｅｑｕｉｐｍｅｎｔ：ＯＰＥ）を操作して出力をする場合に、原稿に設定したオプションが反映された出力結果を予測することも益々困難になってきている。
【発明の概要】
【発明が解決しようとする課題】
【０００５】
そこで、本発明は上記従来の画像形成装置における問題点に鑑みてなされたものであって、本発明の目的は、オプションが設定された原稿のサンプルイメージプレビュー及びリアルイメージプレビューを用いて出力結果を確認してから出力を制御できる画像形成装置及び画像形成装置の出力制御方法を提供することにある。
【課題を解決するための手段】
【０００６】
上記目的を達成するためになされた本発明による画像形成装置の出力制御方法は、スキャン部に原稿が積載される段階と、操作部を介して前記原稿に対するオプションが設定される段階と、前記設定されたオプションが適用されたサンプルイメージを用いて、表示部に前記サンプルイメージに対応するサンプルイメージプレビューを表示する段階と、前記原稿をスキャンして原稿イメージを生成する段階と、前記原稿イメージに前記設定されたオプションを適用してリアルイメージを生成し、前記表示部に前記リアルイメージに対応するリアルイメージプレビューを表示する段階と、を有することを特徴とする。
【０００７】
前記方法は、前記リアルイメージを出力する段階をさらに含み、前記出力する段階は、１）前記リアルイメージを記録媒体に印刷する段階、２）前記リアルイメージを添付して外部装置でイーメール伝送する段階、３）前記リアルイメージを受信側のファックス機器にファックス送信する段階、及び４）前記リアルイメージを外部サーバーに伝送する段階のうち少なくとも一つを含むことが好ましい。
【０００８】
前記サンプルイメージ及び前記リアルイメージのうち少なくとも一つは、前記表示部のプレビューが表示される表示領域に合わせてスケーリング（Ｓｃａｌｉｎｇ）されることが好ましい。
【０００９】
前記スキャン部は、前記原稿が積載される原稿板（Ｓｃａｎ  Ｇｌａｓｓ）及び自動原稿給紙部（Ａｕｔｏ  Ｄｏｃｕｍｅｎｔ  Ｆｅｅｄｅｒ）のうち少なくとも一つを含むことが好ましい。
【００１０】
前記方法は、前記出力する段階のうちの少なくとも一つに対応する機能を選択する段階をさらに含むことが好ましい。
【００１１】
前記出力する段階は、前記選択された機能に対応するように前記リアルイメージが出力されることが好ましい。
【００１２】
前記サンプルイメージプレビューを表示する段階は、前記設定されたオプションに応じて前記サンプルイメージに対するイメージ処理を行う段階を含むことが好ましい。
【００１３】
前記表示部は、前記サンプルイメージプレビューまたは前記リアルイメージプレビューをポップアップウィンドウとして表示することが好ましい。
【００１４】
前記方法は、前記サンプルイメージプレビュー及び前記リアルイメージプレビューのうち少なくとも一つを外部機器に提供する段階をさらに含むことが好ましい。
【００１５】
また、上記目的を達成するためになされた本発明による画像形成装置は、原稿をスキャンして原稿イメージを生成するスキャン部と、外部機器と接続可能なインターフェース部と、前記原稿イメージの生成のためのオプションを入力するための操作部と、前記入力されたオプションに対応するサンプルイメージと前記原稿イメージが格納される格納部と、前記原稿イメージに、前記操作部から入力されたオプションに応じたイメージ処理をして、リアルイメージを生成するイメージ処理部と、前記サンプルイメージ及び前記リアルイメージによるプレビューが表示される表示部と、前記原稿がスキャンされたか否かによって前記表示部に前記プレビューが選択的に表示されるように制御する制御部と、を有することを特徴とする。
【００１６】
前記装置は、前記リアルイメージを出力する出力部をさらに含み、前記出力部は、１）前記リアルイメージを記録媒体に印刷する画像形成部、２）前記リアルイメージを添付して外部装置にイーメール伝送するイーメール伝送部、３）前記リアルイメージを受信側のファックス機器にファックス送信するファックス部、及び４）前記リアルイメージを外部サーバーに伝送するファイル伝送部のうち少なくとも一つを含むむことが好ましい。
【００１７】
前記スキャン部は、前記原稿が手動給紙される原稿板（Ｓｃａｎ  Ｇｌａｓｓ）及び前記原稿が自動給紙される自動原稿給紙部（Ａｕｔｏ  Ｄｏｃｕｍｅｎｔ  Ｆｅｅｄｅｒ）のうち少なくとも一つを含むむことが好ましい。
【００１８】
前記インターフェース部を介して外部機器に前記サンプルイメージプレビュー及び前記リアルイメージプレビューのうちの少なくとも一つを提供する。
【００１９】
前記表示部は、前記サンプルイメージ及び前記リアルイメージのうち少なくとも一つが表示されるプレビュー領域を有し、前記プレビュー領域に応じて前記サンプルイメージ及び前記リアルイメージのうち少なくとも一つがスケーリング（Ｓｃａｌｉｎｇ）されるむことが好ましい。
【００２０】
また、上記目的を達成するためになされた本発明による画像形成装置の出力制御方法は、原稿をスキャンするか否かを判断する段階と、前記原稿に対するオプションが選択される段階と、前記原稿がスキャンされる前の場合、前記設定されたオプションの適用されたサンプルイメージを用いて、表示部に前記サンプルイメージに対応するサンプルイメージプレビューを表示し、前記原稿がスキャンされた後の場合、前記原稿をスキャンして生成された原稿イメージに前記設定されたオプションを適用してリアルイメージを生成し、前記表示部に前記リアルイメージに対応するリアルイメージプレビューを表示する段階と、を有することを特徴とする。
【発明の効果】
【００２１】
本発明によると、サンプルイメージプレビュー及びリアルイメージプレビューを用いて出力結果を確認してから出力を行うことができる画像形成装置及びその出力制御方法を提供することができる。
【図面の簡単な説明】
【００２２】
【図１】本発明の一実施例による画像形成装置を示すブロック図である。
【図２】本発明の一実施例による画像形成装置の構成を示す図である。
【図３】本発明の一側面による操作部及びタッチパネルを含む表示部を示す図である。
【図４】本発明の一実施例による画像形成装置の出力制御方法を説明するためのフローチャートである。
【図５】本発明の一側面によるサンプルイメージプレビューの例を示す図である。
【図６】本発明の一側面によるサンプルイメージプレビューの例を示す図である。
【図７】本発明の一側面によるサンプルイメージプレビューの例を示す図である。
【図８】本発明の一側面によるサンプルイメージプレビューの例を示す図である。
【図９】本発明の一側面による原稿と原稿イメージに対応するリアルイメージプレビューの例を示す図である。
【図１０】本発明の一側面による原稿と原稿イメージに対応するリアルイメージプレビューの例を示す図である。
【図１１】本発明の一側面によるファックスで送信されるリアルイメージプレビューの例を示す図である。
【図１２】本発明の一側面によるイーメールで送信されるリアルイメージプレビューの例を示す図である。
【図１３】本発明の一側面によるファイルで送信されるリアルイメージプレビューの例を示す図である。
【図１４】本発明の他の実施例による画像形成装置の出力制御方法を説明するためのフローチャートである。
【発明を実施するための形態】
【００２３】
以下、添付の図面を参照しつつ、本発明の好適な実施例について詳細に説明する。ただし、本発明が実施例により制限または限定されることはない。図面中、同一の構成要素には同一の参照符号を付する。
【００２４】
図１は、本発明の一実施例による画像形成装置を示すブロック図である
【００２５】
本発明の一実施例による画像形成装置１００は、有線／無線ネットワーク１７１上に接続されており、ＵＳＢ（Ｕｎｉｖｅｒｓａｌ  Ｓｅｒｉａｌ  Ｂｕｓ）１７２とも接続可能である。有線／無線ネットワーク１７１及びＵＳＢ１７２は、様々な形式（ｔｙｐｅ）のデータを伝送することができ、画像形成装置が別のデバイスまたは構成とデータ通信を行えるようにする。画像形成装置１００は、有線／無線ネットワーク１７１及びＵＳＢ１７２を介して少なくとも一つのサーバー１０、少なくとも一つのパーソナルコンピュータ（ＰＣ）２０と接続可能である。また、少なくとも一つのデジタル複合機（ＭＦＰ）３０、少なくとも一つのプリンタ４０とも有線／無線ネットワーク１７１またはＵＳＢ１７２等を介して接続可能である。ここで、デジタル複合機３０及びプリンタ４０は、画像形成装置１００に含まれる。デジタル複合機３０は、周辺機器（ｓｅｐａｒａｔｅ  ｐｅｒｉｐｈｅｒａｌ  ｄｅｖｉｃｅｓ）により行われる様々な機能を行うことができる。例えば、デジタル複合機３０は、プリンタ／スキャナー複合装置またはプリンタ／スキャナー／ファックス複合装置を含みうる。
【００２６】
図１を参照すると、画像形成装置１００は、原稿をスキャンして画像データに変換し、記録媒体に出力することができる。記録媒体は、紙、プラスチックシート（例えば、フィルム）などのような、印刷面を有する媒体を含む。また、画像形成装置１００は、有線／無線ネットワーク１７１、ＵＳＢ１７２及び電話ライン（Ｔｅｌ  ｌｉｎｅ）１８９に接続されており、スキャンした画像データを制御部１５０により有線／無線ネットワーク１７１、ＵＳＢ１７２及び電話ライン１８９を介して外部に伝送することや格納することができ、外部から受信した画像データを、制御部１５０で制御し、ハードディスクドライブ１４０に格納することができる。
【００２７】
画像形成装置１００は、スキャン部２１０、操作部１２０、表示部１３０、ハードディスクドライブ１４０、制御部１５０、イメージ処理部１６０、インターフェース部１７０、及び画像形成部２００、ファイル伝送部１８２、イーメール送信部１８４、ファックス部１８６のうち少なくとも一つを含む出力部１８０を有する。操作部１２０及び表示部１３０は操作制御部１１０に含まれる。
【００２８】
操作部１２０は、画像形成装置１００の操作のためのユーザー入力を受信し、表示部１３０は、画像形成装置１００の現在状態及び操作部から入力されたユーザー入力などを表示する。原稿のサンプルイメージに対応するサンプルイメージプレビューとリアルイメージに対応するリアルイメージプレビューが表示部１３０に表示され、その出力結果が確認できる。
【００２９】
本発明の一側面による表示部１３０は、タッチパネル（Ｔｏｕｃｈ  Ｐａｎｅｌ）を含むことができ、タッチパネルでは操作部１２０の操作と表示部１３０の表示が可能である。
【００３０】
ハードディスクドライブ（ＨＤＤ）１４０には、サンプルイメージプレビューのためのサンプルイメージが格納されており、スキャン部２１０でスキャンされた原稿の原稿イメージが格納される。サンプルイメージは、画像形成装置１００の機能に設定するオプションに従って追加、削除、及び変更が可能であり、アップデートも可能である。ハードディスクドライブ１４０は、文書、デジタルメディア、動作履歴、設定情報、ユーザー情報などのような様々な形式のデータをさらに格納することができる。
【００３１】
ここで、スキャンされた原稿の原稿イメージとスキャンされた原稿の画像データは、同一の意味として用いられる。
【００３２】
スキャン部２１０でスキャンされた原稿に対応する画像データは、制御部１５０の制御によってイメージ処理部１６０でイメージ処理されて、記録媒体に出力される、外部サーバーに伝送される、イーメール伝送される、またはファックス送信されることができる。
【００３３】
また、取り込まれた画像データは、制御部１５０の制御によってハードディスクドライブ１４０に格納され、記録媒体に出力する場合、サンプルイメージプレビュー及びリアルイメージプレビューのうち少なくとも一つを表示可能であり、出力結果を確認してから出力することができる。
【００３４】
ファックス部１８６は、スキャンされた原稿に対応する画像データを制御部１５０の制御によって圧縮し、圧縮された画像データは電話ライン１８９を介してファックス送信される。送信された画像データは、ハードディスクドライブ１４０に格納可能であり、電話ライン１８９を介して外部から受信した圧縮された画像データは、制御部１５０によって圧縮を解き、画像形成部２００に出力されるか、またはハードディスクドライブ１４０に格納され、操作部１２０の操作によって出力部１８０から出力される。
【００３５】
本発明の一実施例による画像形成装置１００は、インターフェース部１７０を介してサーバー１０及びパーソナルコンピュータ２０と接続されて、サーバー１０またはパーソナルコンピュータ２０から入力される印刷データを、制御部１５０の制御によって画像形成部２００から出力すること、または、ハードディスクドライブ１４０に格納することができる。
【００３６】
制御部１５０は、ＣＰＵ（Ｃｅｎｔｒａｌ  Ｐｒｏｃｅｓｓｉｎｇ  Ｕｎｉｔ）１５１と、制御プログラムが格納されたＲＯＭ（Ｒｅａｄ  Ｏｎｌｙ  Ｍｅｍｏｒｙ）１５２と、入力データ記憶や作業関連記憶の領域であるＲＡＭ（Ｒａｎｄｏｍ  Ａｃｃｅｓｓ  Ｍｅｍｏｒｙ）１５３とで構成されることができ、ＢＵＳを介して接続されることができる。また、制御部１５０は、操作部１２０、表示部１３０、ハードディスクドライブ１４０、スキャン部２１０、イメージ処理部１６０、インターフェース部１７０、及び出力部１８０をそれぞれ制御する。
【００３７】
特に、制御部１５０は、ユーザー入力を受信する操作部１２０の制御、記録媒体への給紙、搬送、光学系の駆動に関連するモーターの制御を行い、少なくとも一つのクラッチ、ソレノイドに接続されて制御する。すなわち、制御部１５０は、画像形成装置１００の動作を監視及び制御し、複数個の制御部１５０とすることもできる。制御部１５０を複数個とする場合には、画像形成装置１００を構成するスキャン部２１０、操作部１２０、表示部１３０、及び画像形成部２００を独立して制御するように具現することもできる。
【００３８】
イメージ処理部（Ｉｍａｇｅ  Ｐｒｏｃｅｓｓｏｒ）１６０は、スキャン部２１０から出力される画像信号が入力され、操作部１２０でユーザー入力によって設定されたオプションに応じて、入力された画像信号を処理して画像データを生成する。
【００３９】
インターフェース部１７０は、有線／無線ネットワーク１７１及びＵＳＢ１７２を介して少なくとも一つのサーバー１０、少なくとも一つのパーソナルコンピュータ２０と接続可能である。また、少なくとも一つのデジタル複合機３０、少なくとも一つのプリンタ４０とも接続可能である。
【００４０】
出力部１８０は、画像データを記録媒体（Ｒｅｃｏｒｄｉｎｇ  ｍｅｄｉｕｍ）に印刷する画像形成部２００、画像データを外部サーバーに伝送するファイル伝送部１８２、画像データを添付して外部装置にイーメール伝送するイーメール伝送部１８４、及び画像データを受信側のファックス機器に伝送するファックス部１８６のうち少なくとも一つを含む。出力部１８０のうち、ファイル伝送部１８２とイーメール伝送部１８４は、画像データを制御部１５０の制御によってインターフェース部１７０を介してサーバー１０、パーソナルコンピュータ２０、デジタル複合機３０、またはプリンタ４０に伝送する。
【００４１】
図２は、本発明の一実施例による画像形成装置の構成を示す図である。
【００４２】
画像形成装置１００は、スキャンを行うスキャン部２１０と、画像を印刷する画像形成部２００と、を含む。本発明の一実施例で、スキャン部２１０及び画像形成部２００はハウジング１００ａ内に設けられる。
【００４３】
スキャン部２１０は、自動原稿給紙部（Ａｕｔｏ  Ｄｏｃｕｍｅｎｔ  Ｆｅｅｄｅｒ：ＡＤＦ）２１２を含むカバー２１１と、スキャン部本体２１０ａと、で構成される。自動原稿給紙部２１２は、少なくとも一面で構成される原稿を１枚ずつ自動で給紙する。
【００４４】
自動原稿給紙部２１２は、原稿の表面、裏面を給紙できる両面自動原稿給紙部（Ｄｕｐｌｅｘ  Ａｕｔｏ  Ｄｏｃｕｍｅｎｔ  Ｆｅｅｄｅｒ：ＤＡＤＦ）とすることもできる。両面自動原稿給紙部は、原稿の両面（表・裏面）をスキャンできるように構成される。
【００４５】
原稿給紙台２１３に積載された原稿は、給紙経路２１４に沿って１枚ずつ自動給紙され、スキャン後に排出される。
【００４６】
カバー２１１は、スキャン部本体２１０ａに回動可能に結合され、手動級紙のために少なくとも一面で構成される原稿が積載される原稿板（Ｓｃａｎ  ｇｌａｓｓ）２１５が位置するスキャン部本体２１０ａの上面を開閉する。
【００４７】
スキャン部本体２１０ａは、原稿をスキャンするための光源２１６と、光源２１６に反射された反射光をイメージセンサー２２２に反射する複数のミラー２１７，２１８と、反射光をイメージセンサー２２２に結像させる少なくとも一つの結像レンズ２２１と、で構成される。光源２１６、複数のミラー２１７，２１８は、移動光学系（図示せず）に収容可能であり、移動光学系は、駆動モーター、プーリーなどを用いて原稿に対して固定状態でまたは往復移送をしながらスキャンする。
【００４８】
イメージセンサーユニット２２０は、結像レンズ２２１と、イメージセンサー２２２と、イメージセンサー２２２を駆動するイメージセンサードライブ（図示せず）と、で構成され、反射光に対するイメージセンサー２２２の画像信号出力は、例えば、８ビット（ｂｉｔ）デジタル信号に変換されて制御部１５０に入力される。画像信号出力は、８ビット、１６ビット、３２ビット、６４ビット等のように、画像形成装置の性能に応じて変更可能である。
【００４９】
イメージセンサー２２２は、ＣＣＤ（Ｃｈａｒｇｅ  Ｃｏｕｐｌｅｄ  Ｄｅｖｉｃｅ）センサーまたはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサーのいずれかで構成することができる。
【００５０】
図１に示す出力部１８０に含まれる画像形成部２００は、印刷方式によってレーザービームプリンタ（Ｌａｓｅｒ  Ｂｅａｍ  Ｐｒｉｎｔｅｒ：ＬＢＰ）、インクジェットプリンタ（Ｉｎｋｊｅｔ  Ｐｒｉｎｔｅｒ）とすることができる。本実施例ではレーザービームプリンタを例として説明する。
【００５１】
画像形成部２００は、給紙ユニット２３０、光走査ユニット２４０、感光体２５０Ｃ，２５０Ｍ，２５０Ｙ，２５０Ｋを含む現像ユニット２６０、転写ユニット２７０、定着ユニット２８０、及び排紙ユニット２９０を含む構成とすることができる。たたじ、この構成に限定されず、レーザービームプリンタ（ＬＢＰ）のモノ印刷、カラー印刷によって異なる構成にもでき、なお、カラー印刷において現像方式（マルチパス方式、シングルパス方式）、転写方式（直接転写方式、間接転写方式）によって種々の構成にすることもできる。
【００５２】
給紙ユニット２３０は、記録媒体（Ｒｅｃｏｒｄｉｎｇ  Ｍｅｄｉｕｍ）が積載されるカセット（Ｃａｓｓｅｔｔｅ）２３１と、カセット２３１に積載された記録媒体をピックアップするピックアップローラ（Ｐｉｃｋ−ｕｐ  Ｒｏｌｌｅｒ）２３２と、ピックアップされた記録媒体を移送する少なくとも一つの移送ローラ（Ｆｅｅｄ  ｒｏｌｌｅｒ）２３３と、を含む。
【００５３】
本実施例では、一つの給紙ユニット２３０について説明しているが、複数の給紙ユニット２３０が画像形成装置１００に装着されることも可能であり、それぞれの給紙ユニット２３０に積載された記録媒体が給紙される。
【００５４】
光走査ユニット（Ｌａｓｅｒ  Ｓｃａｎ  Ｕｎｉｔ：ＬＳＵ）２４０は、画像信号に対応する光（Ｂｅａｍ）を複数の感光体２５０Ｃ，２５０Ｍ，２５０Ｙ，２５０Ｋに照射して、複数の感光体２５０Ｃ，２５０Ｍ，２５０Ｙ，２５０Ｋの表面に静電潜像を形成する。光走査ユニット２４０は、図２に図示していない少なくとも一つのレーザーダイオード（Ｌａｓｅｒ  Ｄｉｏｄｅ：ＬＤ）、少なくとも一つのポリゴンミラー（Ｐｏｌｙｇｏｎ  Ｍｉｒｒｏｒ）、少なくとも一つのミラー、または少なくとも一つのレンズで構成されることができ、ＭＥＭＳ（Ｍｉｃｒｏ  Ｅｌｅｃｔｒｏ  Ｍｅｃｈａｎｉｃａｌ  Ｓｙｓｔｅｍ）ミラーで構成されうる。
【００５５】
現像ユニット（Ｄｅｖｅｌｏｐｉｎｇ  Ｕｎｉｔ）２６０Ｃ、２６０Ｍ、２６０Ｙ、２６０Ｋは、複数の感光体２５０にそれぞれ異なるカラー（Ｃｙａｎ、Ｍａｇｅｎｔａ、Ｙｅｌｌｏｗ、Ｂｌａｃｋ）の現像剤を供給して可視の画像を形成する。
【００５６】
本実施例では、シアン（Ｃｙａｎ）の現像ユニット２６０Ｃを挙げて説明し、その他のカラーの現像ユニット２６０Ｍ、２６０Ｙ、２６０Ｋにも同様な適用が可能である。本実施例では、４色の現像ユニット２６０Ｃ、２６０Ｍ、２６０Ｙ、２６０Ｋについて説明するが、５色以上の現像ユニットにも拡張可能である。また、図示してはいないが、画像形成装置２００は、ブラック（Ｂｌａｃｋ）カラーに対応するブラック現像ユニット２６０のみが設けられたモノ（ｍｏｎｏ）画像形成装置にしても良い。
【００５７】
現像ユニット２６０は、感光体２５０に均一に電荷を帯電させる帯電器（図示せず）、現像剤を現像ローラ（図示せず）に供給する現像剤供給ローラ（図示せず）、現像剤供給ローラから供給された現像剤を、光走査ユニット２４０により生成された感光体２５０上の静電潜像に供給して、可視像を形成させる現像ローラ（図示せず）、感光体２５０に形成された可視像を転写ベルト２７１に転写した後、感光体２５０に残留する現像剤を除去する現像剤クリーナー（図示せず）、現像剤クリーナーにより除去された現像剤が回収される廃トナー函（図示せず）、及び感光体２５０に残留する電位を除去する除電器（図示せず）を含む。
【００５８】
転写ユニット２７０は、転写ベルト２７１と、複数の感光体２５０に形成された可視像を転写ベルト２７１に転写させる第１転写ローラ２７２Ｃ、２７２Ｍ、２７２Ｙ、２７２Ｋと、複数の現像剤が重なった画像を、給紙された記録媒体上に転写させる第２転写ローラ２７３と、で構成される。本実施例は、間接転写方式について説明しているが、記録媒体が複数の感光体２５０と第１転写ローラ２７２Ｃ、２７２Ｍ、２７２Ｙ、２７２Ｋとの間に給紙されながら重なった画像が転写される直接転写方式に拡張することもできる。
【００５９】
定着ユニット２８０は、少なくとも一つのヒートローラ２８１と少なくとも一つの圧力ローラ２８２とで構成され、記録媒体に転写された画像を、ヒートローラ２８１の熱及び圧力ローラ２８２の圧力で記録媒体に固着させる。
【００６０】
排紙ユニット２９０は、少なくとも一つのローラ２９１で構成され、画像の固着された記録媒体を排紙する。本実施例では、図示してはいないが、両面印刷機能を提供するために、排紙ユニット２９０から排紙せずに再給紙するデュプレックス（Ｄｕｐｌｅｘ）経路を有することもできる。
【００６１】
図３は、本発明の一側面による操作部１２０と、タッチパネルを含む表示部１３０とを備える操作制御部１１０を示す図である。
【００６２】
図３は、画像形成装置１００に電源が供給されてブーティングが完了する時に、表示部１３０に表示される初期画面（Ｈｏｍｅ  ｗｉｎｄｏｗ）１３６を含むユーザーインターフェース（Ｕｓｅｒ  Ｉｎｔｅｒｆａｃｅ：ＵＩ）画面１３４を示している。
【００６３】
画像形成装置１００は、複写、印刷、スキャン、ファックス送信、ファイル伝送などの機能のうち少なくとも一つを実行でき、表示部１３０に該当の機能が表示される。操作部１２０を介して少なくとも一つの機能を選択でき、選択された機能を行う上で必要なオプションなどがユーザーにより入力できる。
【００６４】
操作部１２０は、複写枚数、数字入力などに用いられる数字キーパッド（Ｎｕｍｅｒｉｃ  ｋｅｙｐａｄ）１２１、停止ボタン（Ｓｔｏｐ  ｂｕｔｔｏｎ）、必要なオプションが適用された機能を実行させるスタートボタン（Ｓｔａｒｔ  Ｂｕｔｔｏｎ）１２５、及びその他様々な機能を有する機能ボタン（Ｆｕｎｃｔｉｏｎ  Ｂｕｔｔｏｎ）を有する。
【００６５】
表示部１３０は、初期画面１３６において複写１３１、ファイル伝送１３２、ファックス送信１３３、スキャン１３４、スキャン・ツウ（ｔｏ）・ＵＳＢメモリー１３５などの機能を表示し、操作部１２０を介して選択された少なくとも一つの機能は、他の機能と区別され、当該機能を実行するためのユーザーインターフェース（ＵＩ）画面に切り替わる。また、左側の矢印１３８と右側の矢印１３９では、別の機能またはウィンドウを選択することができる。
【００６６】
表示部１３０は、切り替わったユーザーインターフェース画面から選択された機能の実行に必要なオプションを表示し、操作部１２０を介して選択されたオプションを表示する。また、表示部１３０は、画像形成装置１００のエラー、準備、動作などの状態（Ｓｔａｔｕｓ）と消耗品の残量情報などを表示することができる。
【００６７】
本実施例では、操作部１２０と表示部１３０とを分離して説明しているが、表示部１３０がタッチパネルである場合には、タッチパネルを用いて操作部１２０も同一に操作することができる。また、操作部１２０を省いてタッチパネルでのみ構成することもできる。
【００６８】
図４は、本発明の一実施例による画像形成装置１００の出力制御方法を説明するためのフローチャートである。
【００６９】
図４を参照すると、少なくとも一面で構成される原稿を、スキャン部２１０の原稿給紙台２１３に積載する（Ｓ４１０）。積載される原稿は、自動原稿給紙部２１２の原稿給紙台２１３に積載されるか、または、原稿板２１５に積載される（Ｓ４１０）。原稿が積載されたか否かは、用紙感知センサー（図示せず）を用いて感知するか、または、図２で説明したイメージセンサーユニット２２０を用いて感知することができる。
【００７０】
画像形成装置１００の表示部１３０に表示された少なくとも一つの機能が、操作部１２０を介して選択される。表示部１３０では、選択された機能に対応するようにユーザーインターフェース画面が変更される。
【００７１】
操作部１２０を介してまたはタッチパネルを介して出力に必要なオプションが設定される（Ｓ４２０）。
【００７２】
出力結果の確認のために、設定されたオプションに対応する、ハードディスクドライブ１４０に格納されているサンプルイメージに対応するサンプルイメージプレビューが表示部１３０の一領域に表示される（Ｓ４３０）。設定されたオプションに応じて格納されるサンプルイメージが選択されるか、または、選択されたサンプルイメージにイメージ処理が必要な場合には、制御部１５０の制御によってイメージ処理部１６０でイメージ処理されたサンプルイメージに対応するサンプルイメージプレビューが表示部１３０に表示される。
【００７３】
イメージ処理が必要な例には、サンプルイメージの拡大、縮小、及び一面に表示されるページ数であるＮ−ｕｐのうち少なくとも一つがあるが、本明細書に記載されたイメージ処理は、これに限定されない。
【００７４】
図５乃至図８は、本発明の一側面によるサンプルイメージプレビューの例を示す図である。
【００７５】
表示部１３０のユーザーインターフェース画面１３７は、図５乃至図８に示すように、ベーシック（Ｂａｓｉｃ）タブ、アドバンスド（Ａｄｖａｎｃｅｄ）タブ、及びイメージ（Ｉｍａｇｅ）タブで構成されたタブ領域５１０、各タブ領域５１０に含まれた少なくとも一つのオプションが提示されるオプション領域５２０、及びサンプルイメージプレビューとリアルイメージプレビューが表示されるプレビュー表示領域５３０を含む。図５乃至図８は、ユーザーインターフェース画面１３７に選択的に適用され、図５乃至図８の５２０ａ〜５２０ｄは、オプション領域５２０に選択的に適用される。
【００７６】
プレビュー表示領域５３０は、プレビュー領域５４０と、プレビュー領域５４０にサンプルイメージプレビューまたはリアルイメージプレビューを表示するか否かを選択するプレビュー選択メニュー５５０と、を含む。プレビュー表示領域５３０の位置は、表示部１３０の上、下、左、右のうちの一箇所にすれば良く、拡大、縮小も可能である。また、ポップアップ（Ｐｏｐ−ｕｐ）ウィンドウにしても良い。図５乃至図８の５４０ａ乃至５４０ｄは、プレビュー領域５４０に選択的に適用される。
【００７７】
表示部１３０で原稿に対する複写が選択されると、ユーザーインターフェース画面が変更されて図５が表示される。一実施例として、図３の初期画面１３６で複写機能１３１が選択されると、ユーザーインターフェース画面１３７は、図５のユーザーインターフェース画面１３７ａに変更されうる。他の実施例として、スキャン部２１０の給紙部２１３に原稿が積載されると、ユーザーインターフェース画面１３７は図５のユーザーインターフェース画面１３７ａに変更されうる。
【００７８】
図５は、タブ領域５１０でベーシックタブが選択され、ベーシックタブが選択された状態で選択領域５１５のいずれか一つ５１５ａが選択されたユーザーインターフェース画面１３７ａを示している。
【００７９】
表示されたタブ領域５１０とオプション領域５２０ａの中から出力のためのオプションが選択され、プレビュー選択メニュー５５０が選択入力されると、プレビュー領域５４０ａにサンプルイメージに対応するサンプルイメージプレビューが表示される。
【００８０】
サンプルイメージプレビューの場合、ユーザーがプレビュー選択メニュー５５０を選択しなくてもデフォルト（Ｄｅｆａｕｌｔ）として表示されうる。このデフォルト表示がされるか否かは、ユーザーまたは管理者によって設定されうる。
【００８１】
選択されたタブ領域５１０とオプション領域５２０ａは変更可能であり、変更されたオプションに応じてプレビュー領域５４０ａには変更されたサンプルイメージプレビューが表示される。
【００８２】
図５は、ベーシックタブ領域５１０の原稿縮小／拡大（Ｒｅｄｕｃｅ／Ｅｎｌａｒｇｅ）オプションにおいてオリジナル、すなわち、１００％が選択される場合に表示部１３０に表示されるユーザーインターフェース画面１３７ａを示す。
【００８３】
図６は、タブ領域５１０でベーシックタブが選択され、カラーモード（Ｃｏｌｏｒ  Ｍｏｄｅ）オプションにおいてシングルカラー（Ｓｉｎｇｌｅ  Ｃｏｌｏｒ）のうちのレッド（Ｒｅｄ）が選択される場合に表示部１３０に表示されるユーザーインターフェース画面１３７ｂを示す。図６はまた、カラーモード（Ｃｏｌｏｒ  Ｍｏｄｅ）オプションにおいてシングルカラーのうちのレッドが選択される場合、プレビュー領域５４０ｂに表示されるサンプルイメージプレビューを示す。
【００８４】
図７は、図６で選択されたオプションにおいて一面に表示されるページ数Ｎを示すＮ−ｕｐオプションを表すユーザーインターフェース画面１３７ｃを示している。シングルカラーのうちのレッドが適用された４ページのサンプルイメージに対して、アドバンスドタブのＮ−ｕｐの中から４−ｕｐを選択すると、最終的にプレビュー領域５４０ｃには一面にレッドカラーに変更された４ページが表示される。
【００８５】
図７のように表示するために、イメージ処理部１６０でのイメージ処理が必要とされることがあり、イメージ処理が必要なオプションの場合、イメージ処理部１６０でオプションに対応するサンプルイメージの大きさを１００％から２５％に縮小するイメージ処理をしてサンプルイメージを生成し、生成されたサンプルイメージに対応するサンプルイメージプレビューをプレビュー領域５４０に表示する。
【００８６】
さらに他の側面によれば、図８に示すように、サンプルイメージプレビューをポップアップ（Ｐｏｐ−ｕｐ）ウィンドウとして表示することもできる。図８は、サンプルイメージプレビューを表示するポップアップウィンドウ５６０を含むユーザーインターフェース画面１３７ｄを示す。例えば、図７のユーザーインターフェース画面１３７ｃでプレビュー領域５４０ｃがダブルクリックされると、図８のユーザーインターフェース画面１３７ｄが表示される。ポップアップウィンドウ５６０は、サンプルイメージプレビュー５４０を拡大して表示する。“閉じる”ボタン５６１は、ポップアップウィンドウ５６０を閉じるために選択されうる。Ｎ−ｕｐ表示５６３はページの数を表示し、表示されるページの数は、拡大オプション５６５と縮小オプション５６７によりそれぞれ制御される。ユーザーインターフェース画面１３７ｄは、ポップアップウィンドウ５６０により部分的に覆われるオプション領域５２０ｄを含むことができる。
【００８７】
このように表示されたサンプルイメージプレビューはユーザーに提示され、操作部１２０からのユーザーの入力、または、表示部１３０のタッチパネルからのユーザーの入力によって原稿のスキャンを決定する（Ｓ４４０）。表示されたサンプルイメージプレビューがユーザーの所望する出力結果と同一でなければ、既に設定されたオプションを変更するために再びＳ４２０に戻る。
【００８８】
Ｓ４４０の判断結果、原稿スキャンが決定された場合、スキャン部２１０に積載された原稿はスキャンされ、該原稿に対応する原稿イメージが生成される（Ｓ４５０）。表示部１３０に、図５乃至図８のユーザーインターフェース画面１３７ａ，１３７ｂ，１３７ｃ，１３７ｄが表示される時、操作部１２０のスタートボタン１２５が選択されると原稿のスキャンが始まる。
【００８９】
生成された原稿イメージは、ＲＡＭ１５３またはハードディスクドライブ１４０に臨時格納され、既に設定されたオプションによってイメージ処理部１６０でイメージ処理をしてリアルイメージを生成する。生成されたリアルイメージは表示部１３０の一領域に表示され（Ｓ４６０）、リアルイメージの大きさと表示部の一領域の大きさに応じて拡大または縮小されうる。他の側面によれば、リアルイメージプレビューはポップアップ（Ｐｏｐ−ｕｐ）ウィンドウとして表示されうる。
【００９０】
図９及び図１０には、本発明の一側面による原稿と原稿イメージに対応するリアルイメージプレビューの例を示す図である。
【００９１】
図９を参照すると、４ページの原稿６００の例が示されている。原稿の４ページ６０１，６０２，６０３，６０４は、スキャン後にスキャン文書のページ６０６，６０７，６０８，６０９となる。４ページの原稿６０１，６０２，６０３，６０４を、図５乃至図７の例のように、シングルカラーのうちのレッドと４−ｕｐを適用してリアルイメージを生成し、生成されたリアルイメージに対応するリアルイメージプレビューの各ページ６０６，６０７，６０８，６０９を、図１０のプレビュー領域６４０に表示する。
【００９２】
図１０は、プレビュー領域６４０にリアルイメージプレビューが表示されたユーザーインターフェース画面１３７ｅを示す図で、特に、図７で適用されたオプションが原稿のリアルイメージに適用されてプレビュー領域５４０に表示された一例を示している。ユーザーインターフェース画面１３７ｅは、原稿のスキャンが完了すると自動で表示されうる。ユーザーインターフェース画面１３７ｅでは、ベーシックタブ、アドバンストタブ、イメージタブを有するタブ領域６１０においてアドバンストタブが選択され、選択領域６１５においてＮ−ｕｐオプションが選択された実施例を表示する。オプション領域６２０のＮ−ｕｐにおいて４Ｕｐが選択されると、プレビュー表示領域６３０のプレビュー領域６４０に、スキャンされた原稿の４ページ６０６，６０７，６０８，６０９が表示される。図示してはいないが、ユーザーは、タブ領域６１０において別のタブを選択し、各タブにおいてオプションを設定することもできる。最終出力が決定されると、操作部１２０のスタートボタン１２５を押して記録媒体への出力を開始する。
【００９３】
再び図４を参照すると、画像形成部２００は原稿を出力するか否かを判断する（Ｓ４７０）。表示されたリアルイメージプレビューが、ユーザーの所望する出力結果と同一でなければ終了する。例えば、ユーザーは、表示されたリアルイメージプレビューを確認し、リアルイメージのプレビューが所望のものか否かを判断することができる。ユーザーがリアルイメージプレビューを所望のものと判断すると、ユーザーは、リアルイメージを記録媒体に出力すると決定することができる。
【００９４】
操作部１２０のスタートボタン１２５の入力があるか、または、スタートボタン１２５に対応する表示部１３０のタッチパネルの入力があると、原稿を出力する（Ｓ４８０）。
【００９５】
選択された機能に応じてリアルイメージの出力が決定され、リアルイメージを記録媒体（Ｒｅｃｏｒｄｉｎｇ  ｍｅｄｉｕｍ）に出力するか、リアルイメージを外部サーバーにファイル伝送するか、リアルイメージを添付して外部装置にイーメール伝送するか、または、リアルイメージを受信側のファックス機器にファックス送信することができる。出力部１８０中のファイル伝送部１８２及びイーメール伝送部１８４は、画像データを制御部１５０の制御によってインターフェース部１７０を介してサーバー１０、パーソナルコンピュータ２０、デジタル複合機３０、またはプリンタ４０に伝送することができる。
【００９６】
出力されたリアルイメージは、ハードディスクドライブ１４０のような記憶媒体に格納されうる。格納されるリアルイメージにはファイル名（Ｆｉｌｅ  Ｎａｍｅ）が付され、該ファイル名はリアルイメージを検索する時に用いることができる。なお、格納されたリアルイメージを再出力することができる。
【００９７】
図１１は、本発明の一側面によるファックスで送信されるリアルイメージプレビューの例を表示するユーザーインターフェース画面１３７ｆを示す図である。
【００９８】
表示部１３０の初期画面１３６においてファックス１３３機能を選択すると、図１１に示すユーザーインターフェース画面１３７ｆに切り替わる。例えば、ユーザーが、図１０のユーザーインターフェース画面１３７ｅが表示される時に操作部１２０のスタートボタン１２５を選択すると、ユーザーインターフェース画面１３７ｅは、ユーザーがファックス１３３機能を選択できるような図３のユーザーインターフェース画面１３７に切り替わる。図１１のユーザーインターフェース画面１３７ｆは、ベーシックタブ、アドバンストタブ、イメージタブを有するタブ領域７１０を含む。タブ領域７１０のベーシックタブにおいて受信側の電話番号７２０は操作部１２０またはタッチパネルを介して入力でき、ファックス送信する原稿に適用されるオプションに応じてプレビュー表示領域７３０のプレビュー領域７４０に表示される。スキャンするか否かによってサンプルイメージプレビューまたはリアルイメージプレビューが表示される。イメージ処理が必要な場合、イメージ処理部１６０でイメージ処理後にプレビュー領域７４０に表示されうる。プレビュー選択メニュー７５０は、プレビュー領域７４０へのリアルイメージの表示／非表示を選択できるように提供される。
【００９９】
アドレス帳７６０を選択すると、一つの原稿を複数の宛先にファックス送信することができる。また、複数のタブ７１０を用いて様々なオプションを指定することができる。
【０１００】
図１２は、本発明の一側面によるイーメールで送信されるリアルイメージプレビューの例を表示するユーザーインターフェース画面１３７ｇを示す図である。例えば、ユーザーが、図１０のユーザーインターフェース画面１３７ｅが表示される時に、操作部１２０のスタートボタン１２５を選択すると、ユーザーインターフェース画面１３７ｅは、ユーザーがファックス１３３機能を選択できるような図３のユーザーインターフェース画面１３７に切り替わる。図１２のユーザーインターフェース画面１３７ｇは、ベーシックタブ、アドバンストタブ、イメージタブを有するタブ領域８１０を含む。タブ領域８１０のベーシックタブにおいてイーメールメッセージ領域８２０は、受信側のイーメールアドレス、送信側のイーメールアドレス、イーメールの題名、イーメールメッセージの受信領域をそれぞれ含む。
【０１０１】
イーメールメッセージ領域８２０でイーメールアドレスを入力するために、アドレス帳８６０に記録された一つ以上のイーメールアドレス（Ｅ−ｍａｉｌ  Ａｄｄｒｅｓｓ）のいずれかを選択すること、または、ソフトキーボード（図示せず）を用いて一つ以上のイーメールアドレスをユーザーから直接受信することができる。受信側のイーメールアドレスは、ファックスにより伝送される原稿のオプションに応じてプレビュー表示領域８３０のプレビュー領域８４０に表示されうる。また、プレビュー選択メニュー８５０は、プレビュー領域８４０へのリアルイメージの表示／非表示を選択できるように提供される。
【０１０２】
図１３は、本発明の一側面によるファイルで送信されるリアルイメージプレビューの例を示す図である。
【０１０３】
表示部１３０の初期画面１３６においてファイル伝送１３２機能が選択されると、図１３のユーザーインターフェース画面１３７ｈに切り替わる。例えば、ユーザーが、図１０のユーザーインターフェース画面１３７ｅが表示される時、操作部１２０のスタートボタン１２５を選択すると、ユーザーインターフェース画面１３７ｅは、ユーザーがファイル伝送１３２機能を選択できるような図３のユーザーインターフェース画面１３７に切り替わる。図１３のユーザーインターフェース画面１３７ｈは、ベーシックタブ、アドバンストタブ、イメージタブを有するタブ領域９１０を含む。タブ領域９１０のベーシックタブにおいては受信側のＩＰアドレスが入力されるＩＰアドレス領域９２０が表示されうる。アドレス帳９６０に記録された一つ以上のＩＰアドレスまたはＩＰアドレスに対応するアドレスが入力される。該アドレスの例には、ＦＴＰアドレス情報、ドメインネームなどが挙げられる。また、ソフトキーボード（図示せず）を用いて一つ以上のアドレス情報がユーザーから直接入力されうる。受信側のＩＰアドレスは、ファックスにより伝送される原稿のオプションに応じてプレビュー表示領域９３０のプレビュー領域９４０に表示されうる。また、プレビュー選択メニュー９５０は、プレビュー領域９４０へのリアルイメージの表示／非表示を選択できるように提供される。
【０１０４】
図１４は、本発明の他の実施例による画像形成装置の出力制御方法を説明するためのフローチャートである。
【０１０５】
図１４を参照すると、少なくとも一面で構成される原稿をスキャン部２１０の原稿給紙台２１３に積載する（Ｓ１０１０）。積載される原稿は、自動原稿給紙部２１２の原稿給紙台２１３に積載されるか、または、原稿板２１５に積載される。原稿の積載されたか否かは、用紙感知センサー（図示せず）で感知すること、または、図２で説明したイメージセンサーユニット２２０で感知することができる。
【０１０６】
ユーザーからの入力によって、積載された原稿をスキャンするか否かを決定する（Ｓ１０２０）。
【０１０７】
Ｓ１０２０の判断結果、原稿をスキャンすると決定される場合、スキャン部２１０に積載された原稿はスキャンされ、該原稿に対応する原稿イメージが生成される（Ｓ１０３０）。
【０１０８】
生成された原稿イメージは、ＲＡＭ１５３またはハードディスクドライブ１４０のような記憶媒体に臨時格納され、既に設定されたオプションに応じてイメージ処理部１６０でイメージ処理してリアルイメージを生成する。生成されたリアルイメージプレビューは、表示部１３０の一領域に表示され（Ｓ１０４０）、これは、リアルイメージの大きさと表示部の一領域の大きさによって拡大または縮小されうる。他の側面によれば、リアルイメージプレビューはポップアップウィンドウとして表示されうる。
【０１０９】
図９及び図１０には、本発明の一実施例と同様に、本発明の他の実施例によるサンプルイメージプレビューの例が示されている。
【０１１０】
続いて、原稿を出力するか否かを決定し（Ｓ１０５０）、表示されたリアルイメージプレビューが出力結果と同一でなければ終了する。
【０１１１】
操作部１２０のスタートボタン１２５の入力があるか、スタートボタン１２５に対応する表示部１３０のタッチパネルの入力があると、原稿を出力する（Ｓ１０６０）。
【０１１２】
一方、Ｓ１０２０において原稿をスキャンしないと決定された場合、画像形成装置１００の表示部１３０に表示された少なくとも一つの機能が、ユーザー入力により操作部１２０またはタッチパネルを介して選択される。表示部１３０では、選択された機能に対応するようにユーザーインターフェース画面が変更される。変更されたユーザーインターフェース画面を介してユーザーにより必要なオプションが設定される（Ｓ１０７０）。
【０１１３】
出力結果の確認のために、設定されたオプションに対応し、ハードディスクドライブ１４０に格納されているサンプルイメージに対応するサンプルイメージプレビューが、表示部１３０の一領域に表示される（Ｓ１０８０）。設定されたオプションに応じて格納されたサンプルイメージが選択されるか、または、選択されたサンプルイメージにイメージ処理が必要な場合には、制御部１５０の制御によってイメージ処理部１６０でイメージ処理されたサンプルイメージに対応するサンプルイメージプレビューが、表示部１３０に表示されることができる。
【０１１４】
表示されたサンプルイメージプレビューはユーザーに提示され、Ｓ１０２０に戻って、原稿をスキャンするか否かが再び決定される。
【０１１５】
本発明の一側面によれば、画像形成装置１００は、インターフェース部１７０を介して専用アプリケーション、またはＭｉｃｒｏｓｏｆｔ  Ｉｎｔｅｒｎｅｔ  ＥｘｐｌｏｒｅｒＴＭ（ＭＳＩＥ）、ＦｉｒｅｆｏｘＴＭ、ＯｐｅｒａＴＭ、Ｎｅｔｓｃａｐｅ  ＮａｖｉｇａｔｏｒＴＭなどのようなウェブブラウザー（Ｗｅｂ  Ｂｒｏｗｓｅｒ）を有するサーバー１０またはパーソナルコンピュータ２０と接続可能である。接続されたサーバー１０またはパーソナルコンピュータ２０の要請に応じて、画像形成装置１００の表示部１３０に表示される図３、及び図５乃至図１３の画面を同一に提供することができる。また、サーバー１０またはパーソナルコンピュータ２０のユーザーは、提供される画面から実時間で画像形成装置１００の作業の進行を確認することができる。
【０１１６】
本発明の実施例に係る方法は、様々なコンピュータ手段によって実行できるプログラム命令形態とされて、コンピュータ読み取り可能媒体に記録されうる。このコンピュータ読み取り可能媒体は、プログラム命令、データファイル、データ構造などを単独でまたは組み合わせて含みうる。この媒体に記録されるプログラム命令は、本発明のために特別に設計及び構成されたものであっても良く、コンピュータソフトウェアの当業者には使用可能な公知のものであっても良い。
【０１１７】
以上では、限定された実施例及び図面に挙げて本発明を説明してきたが、本発明は、上記の実施例に限定されるものではなく、本発明の属する分野における通常の知識を有する者にとっては、以上の記載から様々な修正及び変形を行うことが可能である。
【０１１８】
したがって、本発明の範囲は、説明された実施例に限定して定められてはならず、添付した特許請求の範囲とそれと均等なものにより定められるべきである。
【符号の説明】
【０１１９】
１００    画像形成装置
１１０    操作制御部
１２０    操作部
１３０    表示部
１４０    ハードディスクドライブ
１５０    制御部
１６０    イメージ処理部
１７０    インターフェース部
１８０    出力部
２００    画像形成部
２１０    スキャン部
【図１】
2011182402.tif 000003
【図２】
2011182402.tif 000004
【図３】
2011182402.tif 000005
【図４】
2011182402.tif 000006
【図５】
2011182402.tif 000007
【図６】
2011182402.tif 000008
【図７】
2011182402.tif 000009
【図８】
2011182402.tif 000010
【図９】
2011182402.tif 000011
【図１０】
2011182402.tif 000012
【図１１】
2011182402.tif 000013
【図１２】
2011182402.tif 000014
【図１３】
2011182402.tif 000015
【図１４】
2011182402.tif 000016